(57)【要約】【課題】包装箱の内側面と物品との摩擦・衝突を抑止し、且つ、包装具を外部に露出させない。【解決手段】本発明は、物品１００を収容するための包装箱１０であって、包装箱１０は、第１面部１１、第２面部１２、第３面部１３、および第４面部１４と、第１面部１１から第４面部１４のいずれかの１つの面部の両端縁から延びる一対の底フラップ部３１と、を備えて略直方体の形状を呈し、第４面部１４から延び、包装箱１０の内側に折り曲がって包装箱１０の内部に位置する内板部１５と、内板部１５に設けられる物品固定部７５と、を備える。【選択図】図４
2018002268.tif 000002
【特許請求の範囲】
【請求項１】
物品を収容するための包装箱であって、
前記包装箱は、第１面部、第２面部、第３面部、および第４面部と、前記第１面部から前記第４面部のいずれかの１つの面部の両端縁から延びる一対の底フラップ部と、を備えて略直方体の形状を呈し、
前記第４面部から延び、前記包装箱の内側に折り曲がって前記包装箱の内部に位置する内板部と、
前記内板部に設けられる物品固定部と
を備えることを特徴とする包装箱。
【請求項２】
前記第１面部は、矩形であって、相互に平行な第１縁辺および第２縁辺と、前記第１縁辺と直交する相互に平行な一対の第３縁辺と、を有し、
前記第２面部は、矩形であって、前記第１縁辺と直交する相互に平行な一対の第４縁辺を有し、前記第１縁辺から延びて直角に折れ曲がり、
前記第３面部は、矩形であって、前記第２縁辺と平行な第５縁辺と、前記第２縁辺と直交する相互に平行な一対の第６縁辺と、を有し、前記第２縁辺から延び、直角に折れ曲がって前記第２面部と対向し、
前記第４面部は、矩形であって、前記第５縁辺と平行な第７縁辺を有し、前記第５縁辺から延び、直角に折れ曲がって前記第１面部と対向し、
前記内板部は、前記第７縁辺を介して前記第４面部に接続され、
前記一対の底フラップ部は、前記一対の第３縁辺と平行な一対の第８縁辺をそれぞれ有し、前記一対の第３縁辺からそれぞれ延び、直角に折れ曲がって相互に対向し、
前記包装箱は、
前記一対の第４縁辺からそれぞれ延び、直角に折れ曲がって相互に対向する一対の第１内フラップ部と、
前記一対の第６縁辺からそれぞれ延び、直角に折れ曲がって相互に対向する一対の第２内フラップ部と、
前記一対の第８縁辺からそれぞれ延びて直角に折れ曲がる一対の差し込みタブと、を備え、
前記内板部は、
前記第７縁辺と平行な第９縁辺を有し、前記第７縁辺から延びて前記包装箱の内側に折れ曲がり、前記包装箱の内側の前記第２面部に接着された矩形の第１糊代と、
前記第９縁辺と平行な第１０縁辺と、前記第９縁辺と直交する相互に平行な一対の第１１縁辺と、を有し、前記第９縁辺から延びて折れ曲がる矩形の基板と、
前記第１０縁辺から延びて折れ曲がり、前記包装箱の内側の前記第１面部に接着された第２糊代と、
前記一対の第１１縁辺からそれぞれ延び、前記一対の第１１縁辺から前記物品の非当接面側へそれぞれ折り返された一対の折返し固定部と、を備え、
前記物品固定部は、可撓性シートであり、前記可撓性シートの両端縁部は、前記基板の両端縁部に、前記第９縁辺および前記第１０縁辺に沿ってそれぞれ接着されており、
前記基板には、前記第７縁辺と平行に罫線が形成されていることを特徴とする請求項１に記載の包装箱。
【請求項３】
物品を収容するための包装箱であって、
前記包装箱を構成する面部の１つに連続している内板部と、
前記物品を前記内板部とで挟持して固定するように構成された物品固定部と、
前記内板部および前記物品固定部を収容するための内部空間と
を備えることを特徴とする包装箱。
【請求項４】
前記物品固定部は、可撓性シートであり、
前記包装箱の高さ方向における前記内板部の両端縁部にそれぞれ設けられ、前記物品を前記内板部の一方の面と前記可撓性シートとで挟持したまま、前記内板部の他方の面側へ折り返すことで前記物品がさらに固定されるように構成された一対の折返し固定部をさらに備え、
前記内部空間は、前記一対の折返し固定部をさらに収容していることを特徴とする請求項３に記載の包装箱。
【請求項５】
前記内板部には、前記包装箱を折り畳んだときに、一緒に折り曲がるように罫線が設けられることを特徴とする請求項３または請求項４に記載の包装箱。
【請求項６】
請求項１から請求項５のいずれか一項に記載の包装箱のブランクであって、
相互に平行な第１折り曲げ線および第２折り曲げ線と、前記第１折り曲げ線と直交する相互に平行な一対の第３折り曲げ線と、を有する矩形の第１面部と、
前記第１折り曲げ線と直交する相互に平行な一対の第４折り曲げ線を有し、前記第１面部に前記第１折り曲げ線を介して接続される矩形の第２面部と、
前記第２折り曲げ線と平行な第５折り曲げ線と、前記第２折り曲げ線と直交する相互に平行な一対の第６折り曲げ線と、を有し、前記第１面部に前記第２折り曲げ線を介して接続される矩形の第３面部と、
前記第５折り曲げ線と平行な第７折り曲げ線を有し、前記第３面部に前記第５折り曲げ線を介して接続される矩形の第４面部と、
前記第４面部に前記第７折り曲げ線を介して接続される第５面部と、
前記一対の第３折り曲げ線と平行な一対の第８折り曲げ線をそれぞれ有し、前記第１面部に前記一対の第３折り曲げ線を介してそれぞれ接続される一対の底フラップ部と、
前記一対の底フラップ部に前記一対の第８折り曲げ線を介してそれぞれ接続される一対の差し込みタブと、
前記第２面部に前記一対の第４折り曲げ線を介してそれぞれ接続される一対の第１内フラップ部と、
前記第３面部に前記一対の第６折り曲げ線を介してそれぞれ接続される一対の第２内フラップ部と、
前記第５面部に接着され、前記物品を前記第５面部とで挟持可能な可撓性シートと、を備え、
前記第５面部は、
前記第７折り曲げ線と平行な第９折り曲げ線を有し、前記第４面部に前記第７折り曲げ線を介して接続される矩形の第６面部と、
前記第９折り曲げ線と平行な第１０折り曲げ線と、前記第９折り曲げ線と直交する相互に平行な一対の第１１折り曲げ線と、を有し、前記第６面部に前記第９折り曲げ線を介して接続される矩形の第７面部と、
前記第７面部に前記第１０折り曲げ線を介して接続される第８面部と、
前記第７面部に前記一対の第１１折り曲げ線を介してそれぞれ接続される一対の第９面部と、を備え、
前記可撓性シートの両端縁部は、前記第７面部の両端縁部に、前記第９折り曲げ線および前記第１０折り曲げ線に沿ってそれぞれ接着されており、
前記第７面部には、前記第７折り曲げ線と平行に罫線が形成されていることを特徴とするブランク。
【請求項７】
請求項１から請求項５のいずれか一項に記載の包装箱により前記物品が収容されていることを特徴とする包装体。
【発明の詳細な説明】
【技術分野】
【０００１】
本発明は、物品を収容するための包装箱、該包装箱のブランク、および包装体に関する。
【背景技術】
【０００２】
従来、物品の流通過程において、物品を収容するための包装箱が広く使用されている。包装箱の機能として、外部からの汚染・衝撃から物品を守るだけでなく、包装箱の内側面との摩擦・衝突による物品の損傷を抑止することが要求される。
【０００３】
そこで、物品を包装具によって内部に固定して、防汚・防傷を図った包装箱が、例えば、特許文献１および特許文献２に開示されている。
【先行技術文献】
【特許文献】
【０００４】
【特許文献１】特許第５７８２６６３号公報
【特許文献２】米国特許第５６７８６９５号明細書
【発明の概要】
【発明が解決しようとする課題】
【０００５】
しかしながら、特許文献１に記載の包装箱では、物品を固定する包装具が別体となっているため、包装具を包装箱に別途収容する必要があり、物品の包装に手間がかかっていた。また、特許文献２には、包装具が一体となった包装箱が開示されているものの、この包装箱では、包装具であるフィルムが包装の際に包装箱の外側に露出し、その露出部分が外部との接触によって破れる可能性があった。そのため、当該フィルムに包まれた物品にもその接触による力が及んで、物品が損傷するおそれがあった。
【０００６】
本発明の目的は、包装箱の内側面と物品との摩擦・衝突を抑止し、且つ、包装具を外部に露出させないための包装箱、該包装箱のブランク、および包装体を提供することにある。
【課題を解決するための手段】
【０００７】
本発明による包装箱は、物品を収容するための包装箱であって、包装箱は、第１面部、第２面部、第３面部、および第４面部と、第１面部から第４面部のいずれかの１つの面部の両端縁から延びる一対の底フラップ部と、を備えて略直方体の形状を呈し、第４面部から延び、包装箱の内側に折り曲がって包装箱の内部に位置する内板部と、内板部に設けられる物品固定部と、を備えることを特徴とするものである。
【０００８】
本発明によるブランクは、本発明による包装箱のブランクであって、相互に平行な第１折り曲げ線および第２折り曲げ線と、第１折り曲げ線と直交する相互に平行な一対の第３折り曲げ線と、を有する矩形の第１面部と、第１折り曲げ線と直交する相互に平行な一対の第４折り曲げ線を有し、第１面部に第１折り曲げ線を介して接続される矩形の第２面部と、第２折り曲げ線と平行な第５折り曲げ線と、第２折り曲げ線と直交する相互に平行な一対の第６折り曲げ線と、を有し、第１面部に第２折り曲げ線を介して接続される矩形の第３面部と、第５折り曲げ線と平行な第７折り曲げ線を有し、第３面部に第５折り曲げ線を介して接続される矩形の第４面部と、第４面部に第７折り曲げ線を介して接続される第５面部と、一対の第３折り曲げ線と平行な一対の第８折り曲げ線をそれぞれ有し、第１面部に一対の第３折り曲げ線を介してそれぞれ接続される一対の底フラップ部と、一対の底フラップ部に一対の第８折り曲げ線を介してそれぞれ接続される一対の差し込みタブと、第２面部に一対の第４折り曲げ線を介してそれぞれ接続される一対の第１内フラップ部と、第３面部に一対の第６折り曲げ線を介してそれぞれ接続される一対の第２内フラップ部と、第５面部に接着され、物品を第５面部とで挟持可能な可撓性シートと、を備え、第５面部は、第７折り曲げ線と平行な第９折り曲げ線を有し、第４面部に第７折り曲げ線を介して接続される矩形の第６面部と、第９折り曲げ線と平行な第１０折り曲げ線と、第９折り曲げ線と直交する相互に平行な一対の第１１折り曲げ線と、を有し、第６面部に第９折り曲げ線を介して接続される矩形の第７面部と、第７面部に第１０折り曲げ線を介して接続される第８面部と、第７面部に一対の第１１折り曲げ線を介してそれぞれ接続される一対の第９面部と、を備え、可撓性シートの両端縁部は、第７面部の両端縁部に、第９折り曲げ線および第１０折り曲げ線に沿ってそれぞれ接着されており、第７面部には、第７折り曲げ線と平行に罫線が形成されていることを特徴とするものである。
【０００９】
本発明による包装体は、本発明による包装箱によって物品を収容したことを特徴とするものである。
【発明の効果】
【００１０】
本発明によれば、包装箱に収容した物品の汚染・損傷を抑止することが可能となる。
【図面の簡単な説明】
【００１１】
【図１】本発明の一実施形態に係る、開封前の包装体および包装箱の全体斜視図である。
【図２】一実施形態に係る包装箱を展開したブランクの平面図である。
【図３】一実施形態に係る包装箱を用いて物品を包装する様子について説明するための図であり、（ａ）は開口が少し開いた状態の包装箱の全体斜視図、（ｂ）は（ａ）に示す包装箱を開口側から見た平面図である。
【図４】一実施形態に係る包装箱を用いて物品を包装する様子について説明するための図であり、（ａ）は包装箱の開口形状が図３（ｂ）に示す略菱形から略正方形に変化した後の包装箱の全体斜視図、（ｂ）は（ａ）に示す包装箱を開口側から見た平面図である。
【図５】一実施形態に係る包装箱を用いて物品を包装する様子について説明するための図であり、（ａ）は図４（ａ）に示す包装箱の開口付近の拡大斜視図、（ｂ）は折返し固定部を折り返した後の包装箱の開口付近の拡大斜視図である。
【発明を実施するための形態】
【００１２】
以下、図１から図５を参照しながら本発明を実施するための形態を詳細に説明する。
【００１３】
なお、本明細書および特許請求の範囲の記載において、「矩形」とは、長方形のほか正方形を含むものであり、４つの頂点に丸みを帯びさせる等の軽微な変形を施した態様も含まれる。「直方体」とは、直方体のほか立方体も含むものである。「高さ方向」とは包装箱の内フラップ部の表面に直交する方向を指すものとして参照される。「包装体」とは、物品が収容された状態の包装箱であって開封前のものをいう。
【００１４】
＜構造＞  
図１に本発明の一実施形態に係る、開封前の包装体１および包装箱１０の全体斜視図を示し、図２に本実施形態に係る包装箱１０を展開したブランク１０Ｂの平面図を示す。本実施形態に係る包装体１は、包装箱１０に、物品（本実施形態では、内容量３０ｍｌの略卵形状を有する化粧品用容器を１個）を収容して構成される［後述する図４（ｂ）では当該物品は符号１００で表される］。しかし、本発明では、物品１００は、物品１００の汚染・損傷を抑止するという効果が発揮されるのであれば、どのような物品（例えば、栄養ドリンク、マニキュア塗料入り容器等）であっても良く、物品１００の形状も上記形状に限られるものではない。
【００１５】
本実施形態に係る包装箱１０は、図１、図２に示すように、第１面部１１から第４面部１４の４つの矩形の面部と、一対の第１内フラップ部２２および一対の第２内フラップ部２３の４つの内フラップ部と、一対の底フラップ部３１と、を備えて略直方体（上面視が略正方形）の形状を呈するものである。さらに、包装箱１０は、第４面部１４から延び包装箱１０の内側に折り曲がって包装箱１０の内部に位置する内板部１５と、物品１００を内板部１５とで挟持して固定可能な物品固定部７５と、を備えて構成される。物品固定部７５は、図２から図５に示すように、ドット状のハッチングを施したもので表される。本実施形態に係る包装箱１０は、内板部１５、物品固定部７５、および後述する一対の折返し固定部６５を収容するための内部空間を備える。また、本実施形態に係る包装箱１０では、第２面部１２、第１面部１１、第３面部１３、第４面部１４の順に連続している一方、第２面部１２と第４面部１４とは連続していない。なお、本発明に係る包装箱１０では、略直方体に限られず、三角柱、六角柱等、様々な形状を採用することが可能である。
【００１６】
第１面部１１は、相互に平行な第１縁辺Ｌ１および第２縁辺Ｌ２と、第１縁辺Ｌ１と直交する相互に平行な一対の第３縁辺Ｌ３と、を有する。第２面部１２は、第１縁辺Ｌ１と直交する相互に平行な一対の第４縁辺Ｌ４を有し、第１縁辺Ｌ１から延びて直角に折れ曲がっている。第３面部１３は、第２縁辺Ｌ２と平行な第５縁辺Ｌ５と、第２縁辺Ｌ２と直交する相互に平行な一対の第６縁辺Ｌ６と、を有しており、第２縁辺Ｌ２から延び、直角に折れ曲がって第２面部１２と対向している。第４面部１４は、第５縁辺Ｌ５と平行な第７縁辺Ｌ７を有し、第５縁辺Ｌ５から延び、直角に折れ曲がって第１面部１１と対向している。
【００１７】
一対の第１内フラップ部２２は、第２面部１２の一対の第４縁辺Ｌ４からそれぞれ延び、直角に折れ曲がって相互に対向している。一対の第２内フラップ部２３は、第３面部１３の一対の第６縁辺Ｌ６からそれぞれ延び、直角に折れ曲がって相互に対向している。一対の底フラップ部３１は、一対の第３縁辺Ｌ３と平行な一対の第８縁辺Ｌ８をそれぞれ有し、第１面部１１の一対の第３縁辺Ｌ３からそれぞれ延び、直角に折れ曲がって相互に対向している。一対の差し込みタブ３１１は、一対の第８縁辺Ｌ８からそれぞれ延びて直角に折れ曲がっている。なお、本実施形態では、一対の底フラップ部３１は第１面部１１から、一対の第１内フラップ部２２は第２面部１２から、一対の第２内フラップ部２３は第３面部１３から、それぞれ延びているが、本発明ではこれに限られない。例えば、一対の底フラップ部３１は第１面部１１から第４面部１４のいずれかの１つの面部の両端縁から延びていてもよいし、第１内フラップ部２２および第２内フラップ部２３はその底フラップ部３１の位置に応じて形成されてもよい。
【００１８】
内板部１５は、第７縁辺Ｌ７を介して第４面部１４に接続され、包装箱１０の内側に折れ曲がって包装箱１０の内部に位置している。内板部１５は、第１糊代５５１と、基板４５と、第２糊代５５２と、一対の折返し固定部６５と、を備えて構成される。
【００１９】
第１糊代５５１は、矩形であり、第７縁辺Ｌ７と平行な第９縁辺Ｌ９を有し、第７縁辺Ｌ７から延びて包装箱１０の内側に直角に折れ曲がっている。内板部１５のうち物品固定部７５が設けられていない面側の第１糊代５５１は、第２面部１２の内側面の一部（図２においてαで示される斜線ハッチング部分）に接着されている。
【００２０】
基板４５は、矩形であり、第９縁辺Ｌ９と平行な第１０縁辺Ｌ１０と、第９縁辺Ｌ９と直交する相互に平行な一対の第１１縁辺Ｌ１１と、を有し、第９縁辺Ｌ９から延びて折れ曲がっている。
【００２１】
内板部１５のうち物品固定部７５が設けられていない面側の第２糊代５５２は、第１０縁辺Ｌ１０から延びて折れ曲がり、第３面部１３の内側面の一部（図２においてβで示される斜線ハッチング部分）に接着されている。
【００２２】
一対の折返し固定部６５は、一対の第１１縁辺Ｌ１１からそれぞれ延び、一対の第１１縁辺Ｌ１１から物品１００の非当接面側へそれぞれ折り返されている。一対の折返し固定部６５は、包装箱１０の高さ方向における内板部１５の両端縁部にそれぞれ設けられ、物品１００を内板部１５の一方の面と後述する可撓性シートとで挟持したまま、内板部１５の他方の面側へ折り返すことで物品１００がさらに固定されるように構成されている。
【００２３】
内板部１５には、物品１００を内板部１５とで挟持して固定可能な物品固定部７５が設けられる。本実施形態では、物品固定部７５は、可撓性シートである。しかし本発明ではこの限りではなく、物品固定部７５は、例えば、物品を固定する機能を果たすものであれば、可撓性シート以外の可撓性部材や弾性部材等を採用してもよい。可撓性シート７５の両端縁部は、基板４５の両端縁部に、第９縁辺Ｌ９および第１０縁辺Ｌ１０に沿ってそれぞれ接着されている。可撓性シート７５は内板部１５の２箇所以上に接着され、可撓性シート７５の一部を溶かして接着されている。可撓性シート７５の接着には、材料に応じて任意の公知の手段を用いることができるが、可撓性シート７５にかかる張力に十分対応できる程度の強度を与える、ヒートシール、ホットメルト系の接着剤等を挙げることができる。本実施形態では、可撓性シート７５への接着は、第１１縁辺Ｌ１１を越えて折返し固定部６５の一部に及ぶように行われる。本実施形態では、可撓性シート７５の長辺が、接着する内板部１５の長辺よりも長い。すなわち、可撓性シート７５は、内板部１５の基板４５と、基板４５に隣接して位置する２つの折返し固定部６５と、のいずれとも接着されている。基板４５には、第７縁辺Ｌ７と平行に罫線Ｒ１が形成されている。本実施形態では、罫線Ｒ１は、図２に示すように、第１１縁辺を越えて延びており、折返し固定部６５の端部まで及んでいる。この罫線Ｒ１を設けることにより、内板部１５を折れ曲げて内板部１５と可撓性シート７５との間に隙間を形成させることができるため、内板部１５と可撓性シート７５との間に物品１００を挿入しやすくすることが可能となる。本実施形態では、罫線Ｒ１は、直線状に一本形成されているが、本発明では曲線等であってよいし複数本形成されてもよい。また、罫線Ｒ１は、物品１００を挿入する前の包装箱１０を折り畳んだときに、一緒に折り曲がって、包装箱１０全体が略平面形状になるように構成される。この構成により、物品１００を挿入する前の包装箱１０を、コンパクトな状態で包装資材として流通させることが可能となる。
【００２４】
可撓性シート７５は、張力により梱包すべき物品１００を基板４５の内側面上に固定できるように弾力性を有するシートであり、好ましくは、ポリエチレンやポリプロピレンなどのポリオレフィンポリマー、透明な弾力性ポリマー、たとえばポリ塩化ビニル（ＰＶＣ）やポリウレタンエラストマー、これらを適宜、混合や積層して組み合わせた樹脂やフィルムを挙げることができる。可撓性シート７５の材質はガラス転移温度が常温以下であることが望ましい。また、可撓性シート７５の物理的特性については、可撓性シート７５を３００ｍｍ／ｍｉｎの速度で引っ張ったときに可撓性シート７５を５０％伸ばすために必要な力（５０％モジュラス強度）がいずれの方向に対しても５．０ＭＰａ以下であることが望ましい。さらに、可撓性シート７５は、「可撓性シート７５の加工方向に対して垂直な方向の伸び率」／「平行な方向の伸び率」の数値が１．４以下となるものが望ましい。
【００２５】
本実施形態では、上記のように折返し固定部６５を折り返した後の内板部１５の高さ方向の端部と、包装箱１０の開口部分と、が面一になっている。具体的には、当該折り返した後の内板部１５の高さ方向における長さと、第１面部１１から第４面部１４の高さ方向における長さと、が等しくなっている。この構成により、包装箱１０の蓋を閉じたとき、つまり、第１内フラップ部２２および第２内フラップ部２３をそれぞれ閉じて一対の底フラップ部３１を閉じて包装箱１０を閉塞したときに、当該折り返した後の内板部１５が包装箱１０の芯の機能を果たし、包装箱１０の強度をさらに向上させることが可能となっている。本発明ではこれに限られず、内板部１５または基板４５の大きさは、包装箱１０を閉塞した際に、可撓性シート７５が包装箱１０の内部に隠蔽されるのであれば、適宜変更可能である。
【００２６】
図２に移り、本実施形態におけるブランク１０Ｂにおいて、第２面部１２は、第１面部１１に第１縁辺（第１折り曲げ線）Ｌ１を介して接続されており、第３面部１３は、第１面部１１に第２縁辺（第２折り曲げ線）Ｌ２を介して接続されており、第４面部１４は、第３面部１３に第５縁辺（第５折り曲げ線）Ｌ５を介して接続されている。
【００２７】
内板部（第５面部）１５は、第４面部１４に第７縁辺（第７折り曲げ線）Ｌ７を介して接続されている。また、第５面部１５は、第４面部１４に第７折り曲げ線Ｌ７を介して接続される。本実施形態では、第５面部１５は、図２に示すように、略十字状となっているが、本発明では、本発明の効果を発揮するものであれば、どのような形状を有してもよい。つまり、第１糊代５５１、第２糊代５５２、および／または折返し固定部６５を省略するものであってもよい。
【００２８】
一対の第１内フラップ部２２は、第２面部１２に一対の第４縁辺（第４折り曲げ線）Ｌ４を介してそれぞれ接続されており、一対の第２内フラップ部２３は、第３面部１３に一対の第６縁辺（第６折り曲げ線）Ｌ６を介してそれぞれ接続されている。一対の第１内フラップ部２２および一対の第２内フラップ部２３には、図２に示すように、包装箱１０の閉塞の際に後述する一対の差し込みタブ３１１の切り欠き部３１２と嵌合可能な一対の突起部８０がそれぞれ設けられる。
【００２９】
一対の底フラップ部３１は、一対の第３縁辺（第３折り曲げ線）Ｌ３と平行な一対の第８縁辺（第８折り曲げ線）Ｌ８をそれぞれ有し、第１面部１１に一対の第３折り曲げ線Ｌ３を介してそれぞれ接続されている。一対の差し込みタブ３１１は、一対の底フラップ部３１に一対の第８折り曲げ線Ｌ８を介してそれぞれ接続されている。一対の第８折り曲げ線Ｌ８の両端部には、図２に示すように、Ｌ字状の一対の切り欠き部３１２がそれぞれ形成されている。上記突起部８０と切り欠き部３１２との構成により、搬送中の揺れ等で包装箱１０の口が簡単に開放されないようにすることが可能となっている。本発明では、勿論、これら突起部８０および切り欠き部３１２を備えない態様も許容されるものである。
【００３０】
可撓性シート７５は、第５面部１５に設けられ、物品１００を第５面部１５とで挟持可能に構成される。具体的には、上述したように、可撓性シート７５の両端縁部は、基板（第７面部）４５の両端縁部に、第９縁辺（第９折り曲げ線）Ｌ９および第１０縁辺（第１０折り曲げ線）Ｌ１０に沿って接着されている。
【００３１】
本実施形態では、第５面部１５は、図２に示すように、矩形の第１糊代（第６面部）５５１と、矩形の第７面部４５と、第２糊代（第８面部）５５２と、一対の折返し固定部（第９面部）６５と、を備えて構成される。第６面部５５１は、第７折り曲げ線Ｌ７と平行な第９折り曲げ線Ｌ９を有し、第４面部１４に第７折り曲げ線Ｌ７を介して接続される。第７面部４５は、第９折り曲げ線Ｌ９と平行な第１０折り曲げ線Ｌ１０と、第９折り曲げ線Ｌ９と直交する相互に平行な一対の第１１折り曲げ線Ｌ１１と、を有し、第６面部５５１に第９折り曲げ線Ｌ９を介して接続される。第８面部５５２は、第７面部４５に第１０折り曲げ線Ｌ１０を介して接続される。一対の第９面部６５は、第７面部４５に一対の第１１折り曲げ線Ｌ１１を介してそれぞれ接続される。図２に示すように、折返し固定部６５の延出方向端部の２つの角部分には、折返し固定部６５を可撓性シート７５の非接着面側に折り返したときに、折返し固定部６５の角部分が包装箱１０の内側面に引っ掛からないように、可撓性シート７５の接着面側に折り曲げ可能な一対の折れ曲げ片６５１が設けられる。本発明の態様ではこれに限られず、一対の折れ曲げ片６５１を設けなくてもよいし、折返し固定部６５の角が包装箱１０の内側面に引っ掛からないように、折返し固定部６５の延出方向端部の２つの角部分を予め切り取るように構成してもよい。なお、本実施形態に係る各折り曲げ線Ｌ１からＬ１１、および罫線Ｒ１の折り曲げ可能な手段としては、任意の公知の手段を用いることができるが、プレスによる罫線加工、リード罫線加工、ハーフカット等を挙げることができる。
【００３２】
＜包装箱を用いた物品の包装＞  
図３から図５は、本発明の一実施形態に係る包装箱１０を用いて物品を包装する様子について説明するための図である。図３（ａ）は開口が少し開いた状態の包装箱１０の全体斜視図、図３（ｂ）は図３（ａ）に示す包装箱１０を開口側から見た平面図であり、図４（ａ）は包装箱１０の開口形状が図３（ｂ）に示す略菱形から略正方形に変化した後の包装箱１０の全体斜視図、図４（ｂ）は図４（ａ）に示す包装箱１０を開口側から見た平面図である。図５（ａ）は図４（ａ）に示す包装箱１０の開口付近の拡大斜視図、図５（ｂ）は折返し固定部６５を折り返した後の包装箱１０の開口付近の拡大斜視図である。
【００３３】
前提として、内板部１５のうち可撓性シート７５の非接着面側の第１糊代５５１は第２面部１２の内側面の一部（図２のαで示される部分）に接着され、内板部１５のうち可撓性シート７５の非接着面側の第２糊代５５２は第３面部１３の内側面の一部（図２のβで示される部分）に接着されているものとする。この接着については、製函機等を使用して行うことが可能である。ユーザは、この折り畳まれた包装箱１０を用いて物品１００を包装する。  
（１）先ず、ユーザは、折り畳まれた包装箱１０から、包装箱１０の開口を少し開けて、内板部１５に形成された罫線Ｒ１を少し折り曲げることで内板部１５と可撓性シート７５との間に隙間を形成し、物品１００をその隙間に挿入する［図３（ａ）を参照］。  
（２）次にユーザは、包装箱１０の開口形状が図３（ｂ）に示す略菱形から略正方形になるように、物品１００が挿入された後の包装箱１０の２つの隅をＡ方向にそれぞれ押圧する［図３（ｂ）を参照］。すると、包装箱１０の内部に位置する内板部１５は、折り曲がった状態から平面形状に変化し、内板部１５に形成された罫線Ｒ１の折り目がほぼ元に戻る。そのため、内板部１５と可撓性シート７５との間に形成されていた隙間が少なくなり、物品１００は、内板部１５と可撓性シート７５とで挟まれることになって包装箱１０の内部で固定されることになる［図４（ａ）および図４（ｂ）を参照］。  
（３）続いてユーザは、図５（ａ）のＢに示すように、一対の折れ曲げ片６５１を可撓性シート７５の接着面側に折り曲げながら、一対の折返し固定部６５を可撓性シート７５の非接着面側（物品１００の非当接面側）に第１１折り曲げ線Ｌ１１に沿ってそれぞれ折り返すことで、内板部１５と可撓性シート７５とで物品１００を封止（または被覆）することが可能となる。同時に、折り込んだ２つの折返し固定部６５は、物品１００を固定している基板４５を可撓性シート７５の反発力によって屈曲しないように背面から支えることになる。  
（４）その後ユーザは、図５（ｂ）に示すように、一対の第１内フラップ部２２および一対の第２内フラップ部２３をＣ方向にそれぞれ閉じ、さらに、一対の底フラップ部３１をＤ方向にそれぞれ閉じて、一対の差し込みタブ３１１を包装箱１０の開口部の隙間にそれぞれ差し込みことで、図１に示すように、包装箱１０を閉塞することが可能となる。
【００３４】
従来、物品を包装具によって内部に固定して、防汚・防傷を図った包装箱が知られており、包装具が包装箱と一体となっているものが特許文献２に開示されている。
【００３５】
しかしながら、特許文献２に記載の包装箱では、物品を梱包する際、台紙とフィルムに物品を挿入しやすいように、台紙に折れ罫線が設けられていたが、この台紙は、包装箱の外側面の１つを形成するものであり、この折れ罫線の存在によって包装箱の強度を低くしていた。また、特許文献２に記載の包装箱では、物品を固定するためのフィルムが包装の際に包装箱の外側に露出し、その露出部分が外部との接触によって破れ、そのフィルムに包まれた物品にもその影響が及んで物品に損傷を与えるおそれがあった。
【００３６】
本実施形態によれば、包装箱１０の内側面と物品１００との摩擦・衝突を抑止し、且つ、包装具（可撓性シート７５）が包装箱１０の内部に隠蔽され外部に露出されないので、包装箱に収容した物品の汚染・損傷を有効に抑止することが可能となる。また、本実施形態によれば、罫線Ｒ１が設けられた内板部１５を、包装箱１０の内部に格納し、包装箱１０を形成する外側面に罫線が表れないため、包装箱１０の強度を維持することが可能となる。さらに、本実施形態によれば、包装具が包装箱と一体となっているので、簡便な包装を実現することが可能となっている。
【００３７】
＜その他＞  
本発明は上述した実施形態に示された態様のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【００３８】
例えば、上記各実施形態や変形例に係る包装箱１０およびブランク１０Ｂの材質は、厚紙であるが、これに限られず、物品１００の汚染・損傷を有効に抑止するという効果を発揮できるものであれば、どのような素材を使用してもよく、例えば、段ボールやプラスチック製のものであってもよい。
【００３９】
加えて、上記各実施形態や変形例に係る包装箱１０の表面には、ユーザが迅速に物品１００を取り出しやすくするために、開封手順を示唆する文字、図形、記号、または、これらを組み合わせたものを印刷してもよい。
【符号の説明】
【００４０】
１  包装体
１０  包装箱
１０Ｂ  ブランク
１１  第１面部
１２  第２面部
１３  第３面部
１４  第４面部
１５  内板部（第５面部）
２２  第１内フラップ部
２３  第２内フラップ部
３１  底フラップ部
４５  基板（第７面部）
６５  折返し固定部（第９面部）
７５  物品固定部（可撓性シート）
１００  物品
３１１  差し込みタブ
５５１  第１糊代（第６面部）
５５２  第２糊代（第８面部）
Ｌ１  第１縁辺（第１折り曲げ線）
Ｌ２  第２縁辺（第２折り曲げ線）
Ｌ３  第３縁辺（第３折り曲げ線）
Ｌ４  第４縁辺（第４折り曲げ線）
Ｌ５  第５縁辺（第５折り曲げ線）
Ｌ６  第６縁辺（第６折り曲げ線）
Ｌ７  第７縁辺（第７折り曲げ線）
Ｌ８  第８縁辺（第８折り曲げ線）
Ｌ９  第９縁辺（第９折り曲げ線）
Ｌ１０  第１０縁辺（第１０折り曲げ線）
Ｌ１１  第１１縁辺（第１１折り曲げ線）
Ｒ１  罫線
【図１】
2018002268.tif 000003
【図２】
2018002268.tif 000004
【図３】
2018002268.tif 000005
【図４】
2018002268.tif 000006
【図５】
2018002268.tif 000007